(57)【特許請求の範囲】
【請求項１】
基布の少なくとも片面をゴム又は合成樹脂で被覆した積層布を用いて形成した気密筒体よりなり、空気を充填して膨張可能な環状気室座(１)と、同じく気密筒体よりなり環状気室座(１)上に等配され、その一端を固定された複数本の傾斜ビ−ム(２・・・)と、傾斜ビ−ム(２・・・)の他端に接続された前記環状気室座(１)と平行な中央十字ビ−ム(３)からなる支持体(ａ)と、該支持体(ａ)の上部全体を覆う遮蔽ネット(４)とからなり、遮蔽ネット(４)の周辺を前記環状気室座(１)に対し着脱可能にし、かつ前記環状気室座(１)の所定個所に吊り下げリング(８)を、又傾斜ビ−ム(２)の所定箇所に吊り下げリング(７)を、さらに環状気室座(１)の外周面にこれを一周する垂幕(12)を設けたことを特徴とする原子炉ウエルのバルクヘッド部に取付ける異物混入防止装置。
【請求項２】
請求項１の遮蔽ネット(４)に代え透明なシ−トにして内部を透視可能にしたことを特徴とする請求項１記載の原子炉ウエルのバルクヘッド部に取付ける異物混入防止装置。
【請求項３】
遮蔽ネット(４)の裾部内周面と環状気室座(１)の外周面とにそれぞれファスナ−(９ｂと９ａ)を設け、これらファスナ−(９ｂと９ａ)を噛み合させると共に、傾斜ビ−ム(２)の気密筒体上に設けたテ−プ(10)で緊縛することにより遮蔽ネット(４)を支持体(ａ)に着脱できるようにした請求項１又は請求項２記載の原子炉ウエルのバルクヘッド部に取付ける異物混入防止装置。
【請求項４】
支持体(ａ)を構成する前記環状気室座(１)と傾斜ビ−ム(２)とは互いに独立する気密筒体とし、それぞれに充排気バルブ(５)と調整バルブ
(６)を設けたことを特徴とする請求項１，請求項２又は請求項３記載の原子炉ウエルのバルクヘッド部に取付ける異物混入防止装置。
【発明の詳細な説明】
【０００１】
【発明の属する技術分野】
本発明は、原子力発電施設の検査において、原子炉ウエルのバルクヘッド部に取付ける炉心部仮覆い用の異物混入防止装置に関するものである。
【０００２】
【従来の技術】
原子力発電施設は恒久的な安全を確保するため、定期及び臨時の検査が実施される。このような検査では、正確な検査がなされなければならないのは勿論であるが、作業者の浴びる所謂被爆線量を極力小量にし、かつ、施設の休止期間を可及的短くすることが必要とされる。
【０００３】
この検査の一つとして、原子炉の検査がある。この検査時には、原子炉ウエル内に異物が落下するのを防止するため、ウエルのバルクヘッド部に固定されているスタッドボルトに、ネットや可撓性シ−トのカバ−を張り、バルクヘッド部を完全に覆い、万一誤って異物（たとえば工具等）が落下しても、このカバ−で受け止められるようにしている。
【０００４】
【発明が解決しようとする課題】
しかしながら、ウエルのバルクヘッド部を覆うカバ−で、異物がウエル内に落下するのを防ぐことができでも、前記カバ−を張設するには人手に依らなければならない。又作業場所が比較的放射線量が多い場所であるので、作業者は防護服を着用した上、制限された短時間内に作業を行なわなければならない。加えて、前記カバ−はその自重で、中弛みを起こすので、バルクヘッドの周囲にカバ−の周辺を、何個所も固定しなければならず極めて困難な作業であった。また、万一落下物があった場合、落下物をカバ−で受け止められたとしても、カバ−は平面状に張設されているので、落下物はその重さでカバ−の中央部に転がる。この中央部に集中した落下物を回収するにはこれ又多くの時間と危険な作業を要し、落下物の回収作業も容易ではなかった。
【０００５】
本発明は、このように問題点に基いてなされたもので、バルクヘッドを覆うカバ−の張設を遠隔作業可能で、短時間に確実に行えるようにし、しかも、万一落下物があっても、落下物がカバ−の中心に集まることなく、カバ−の周辺側に自動的に転がり落ちるようにした原子炉ウエルのバルクヘッドに取付ける異物混入防止装置を提供することを課題とする。
【０００６】
【課題を解決するための手段】
（１）  基布の少なくとも片面をゴム又は合成樹脂で被覆した積層布を用いて形成した気密筒体よりなり、空気を充填して膨張可能な環状気室座１と、同じく気密筒体よりなり環状気室座１上に等配され、その一端を固定された複数本の傾斜ビ−ム２・・・と、傾斜ビ−ム２・・・の他端に接続された前記環状気室座１と平行な中央十字ビ−ム３からなる支持体ａと、該支持体ａの上部全体を覆う遮蔽ネット４とからなり、遮蔽ネット４の周辺を前記環状気室座１に対し着脱可能にし、かつ前記環状気室座１の所定個所に吊り下げリング８を、又傾斜ビ−ム２の所定箇所に吊り下げリング７を設け、さらに環状気室座１の外周面にこれを一周する垂幕１２を設けた。
（２）  前記遮蔽ネット４に代え透明なシ−トにして内部を透視可能にした。
（３）  遮蔽ネット４の裾部内周面と環状気室座１の外周面とにそれぞれファスナ−９ｂと９ａを設け、これらファスナ−９ｂと９ａを噛み合させると共に、傾斜ビ−ム２の気密筒体上に設けたテ−プ１０で緊縛することにより遮蔽ネット４を支持体ａに着脱できるようにした。
（４）  支持体ａを構成する前記環状気室座１と傾斜ビ−ム２とは互いに独立する気密筒体とし、それぞれに充排気バルブ５と調整バルブ６を設けた。
【０００７】
【発明の実施の形態】
本発明の実施例の形態を図面に基づいて説明する。図１は右半部を断面にした側面図、図２は平面図である。Ａは本発明の異物混入防止装置である。これは遮蔽ネット４と、これを支える支持体ａとで構成される。支持体ａはナイロン基布の片面又は両面をポリクロロプレン等で被覆した積層布からなる気密筒体から造られる。そして気密筒体内に空気を充填して膨張させることができる大径の環状気室座１と、環状気室座１と同じく気密筒体からなり、膨張可能な傾斜ビ−ム２及びこれと連続し環状気室座１と平行な中央十字ビ−ム３とで構成されている。傾斜ビ−ム２はたとえば４本の気密筒体の下端を環状気室座１に接着等で取付け、中央部が高くなるように円周等配されている。傾斜ビ−ム２の上端には環状気室座１と水平の中央十字ビ−ム３が接続されている。
【０００８】
４はポリエステル等からなるメッシュ布製の遮蔽ネットで、該遮蔽ネット４を前記中央十字ビ−ム３から傾斜ビ−ム２を覆っている。環状気室座１と傾斜ビ−ム２とはそれぞれ独立した気室として組み立てられて、各環状気室座１と傾斜ビ−ム２とにそれぞれ充排気バルブ５と調整バルブ６を設け、傾斜ビ−ム２の下端環状気室座１寄りの箇所にそれぞれ吊り下げリング７を設置すると共に、環状気室座１にも一定間隔を置いた複数箇所に、好ましくは隣接する傾斜ビ−ム２の中間位置に吊り下げリング８を設けている。
【０００９】
前記環状気室座１の略上面となる位置に、この環状気室座１を一周するようにファスナ−９ａを設けると共に、前記遮蔽ネット４の裾部内周面にもファスナ−９ｂを設け、ファスナ−９ａとファスナ−９ｂを噛合させて遮蔽ネット４を環状気室座１に着脱可能となっている。また各傾斜ビ−ム２の中間位置にナイロンテ−プ１０を設けて、前記遮蔽ネット４に設けたテ−プ通孔１１に通して結束し、遮蔽ネット４を固定設置する。また、前記環状気室座１の外側面にこれを一周する垂幕１２（図１）を固着してある。
【００１０】
前記遮蔽ネット４はネットに代えてＰＶＣ．ＥＶＡやＰＥ等の透明シ−トで形成することにより、炉心の内部の状況が確認でき、かつ異物混入防止装置Ａの設置作業を容易に行うことができる。しかも、焼却処分の際に有毒なガスの発生も少なく、廃棄処分にも好適である。
【００１１】
また、この実施例では傾斜ビ−ム２を４本の気密筒体を十字状に組み立てたが、傾斜ビ−ム２を構成する気密筒体の数は十字型４本に限定せず、２本または３本の筒体により組み立て形成することもできる。
【００１２】
次に、本発明の異物混入防止装置Ａをバルクヘッドに設置する作業順序を述べる。
（１）  異物混入防止装置Ａを原子炉室に持ち込み、先ず、傾斜ビ−ム２に空気を充填して膨張させ、傾斜ビ−ム２に設けた吊り下げリング７にクレ−ンの吊りロ−プ（図示せず）を結合して持ち上げ、炉心上まで運ぶ。そして前記環状気室座１をバルクヘッド部に固定されているスタッドボルト（図示せず）の内周側に位置させる。
（２）  次に、環状気室座１に空気を充填して圧力０.２kgf／cm2 で膨張させる。この状態において、前記環状気室座１には、該環状気室座１自身の膨張圧と傾斜ビ−ム２による放射方向に作用する押圧力が発生し、垂幕１２を介して、バルクヘッド周辺に列をなして固定されているスタッドボルトの内周側に強力に密着する。そして遮蔽ネット４は極めて良好な緊張状態に展張される。この作業は、傾斜ビ−ム２と環状気室座１のそれぞれの内圧を徐々に高めることにより両者間の所定の均衡を保たせることにより、異物混入防止装置Ａをバルクヘッドに極めて安全且つ容易に設置することができる。また、この異物混入防止装置Ａの回収時は、環状気室座１の空気を抜くと共に、傾斜ビ−ム２の空気を抜くことにより容易に行うことができる。
【００１３】
遮蔽ネット４上に、想定される各種のものを遮蔽ネット４の種々の箇所に落とす実験を試みたが、全ての落下物は遮蔽ネット４を転がるか滑って環状気室座１上に集まり、遮蔽ネット４上の中心部分に留ったものは皆無であった。更に垂幕１２がスタッドボルトと環状気室座１との間に介在するので、環状気室座１に擦れやその他の損耗の形跡はなく、この垂幕１２は、環状気室座１の保護の役を十分に果すとともに、スタッドボルトの間を通って環状気室座１の外周の下側に転がり込む落下物を遮蔽することも出来ることが判った。
【００１４】
【発明の効果】
遮蔽ネット４の支持体ａを、バルクヘッド部に載置できる環状気室座１とこの環状気室座１の上を橋渡しする如く取り付けた傾斜ビ−ム２とで組み立て、これらを構成する気密筒体は、それぞれ独立しているので、別個に且つ段階的に膨張させることができる。従って異物混入防止装置をバルクヘッド部へ運搬して位置定めし、環状気室座１と傾斜ビ−ム２の内圧を均衡がとれるように調整することにより、環状気室座１はその放射状方向の押圧力でバルクヘッドのスタッドボルトを背にして、短時間で堅固に且つ正確に装着することができる。
加えて、透明な遮蔽ネット４又はシ−トにより遮蔽装置の裏側の状況を視認しながら諸作業を遠隔で行うことができる。従って、放射線量の多い場所での作業者の作業量を極力減少させ、安全に作業能率も高め、正確な作業を行うことが出来る。
さらに、遮蔽ネット４上に落下したものは、環状気室座１まで必ず移動するので、落下物の回収作業を安全かつ容易に行うことができる。
更に本発明の装置の構成材料は殆どが焼却することが出来るので、耐用年数を越えたものの処分が容易になし得る。
更に又異物混入防止装置は着脱自在であるので、万一破損しても容易に交換が出来る。
【図面の簡単な説明】
【図１】本発明の異物混入防止装置の正面図。
【図２】本発明の異物混入防止装置の平面図。
【図３】本発明の異物混入防止装置の傾斜ビ−ムの筒体に遮蔽ネットを固定した状態を示す要部斜視図。
【図４】本発明の異物混入防止装置の環状気室座に遮蔽ネットの裾部を固定した状態を示す要部斜視図。
【符号の説明】
Ａ  異物混入防止装置            ａ  支持体
１  環状気室座                  ２  傾斜ビ−ム
３  中央十字ビ−ム              ４  遮蔽ネット
５  充排気バルブ                ６  調整バルブ
７  （傾斜ビ−ムの）吊り下げリング
８  （環状気室座の）吊り下げリング
9a，9b  ファスナ−              10  ナイロンテ−プ
11  テ−プ通孔                  12  垂幕
【図１】
0003748293.tif 000002
【図２】
0003748293.tif 000003
【図３】
0003748293.tif 000004
【図４】
0003748293.tif 000005